(57)【要約】【課題】複数相一括ケーブルの各心線と他のケーブルとの接続に好適に使用することができる多枝分岐管を提供する【解決手段】下記構成（Ａ）〜（Ｄ）を具備する多枝分岐管１０とする。（Ａ）幹管１２のチューブ１６は入口側に肉厚の厚い厚肉部２４、奥側に肉厚の薄い薄肉部２６を有し、厚肉部と薄肉部は一体成形されている。（Ｂ）幹管および枝管１４の拡径部材２０、２２は、帯状の線材をスパイラル状に巻くことまたはスパイラル状に一体成形することにより形成され、線材を奥側から引き抜いて取り外すものである。（Ｃ）複数相一括ケーブル３２の複数相一括部３４を幹管に挿入し、各心線３６を各枝管に挿入したときに、幹管の拡径部材の先端部３８は、複数相一括ケーブルの段剥き部４０より幹管の入口側方向に位置する。（Ｄ）幹管および枝管の拡径部材を取り外して複数相一括ケーブルに装着したときに、幹管の厚肉部の内周面は複数相一括部の外周面に密接し、薄肉部の内周面は複数相一括部および心線に接触しない。【選択図】図４
2010074907.tif 000002
【特許請求の範囲】
【請求項１】
幹管と、前記幹管の先端部に接続された複数の枝管とを有し、複数相一括ケーブルの複数相一括部が幹管に挿入され、各心線が各枝管に挿入される多枝分岐管であって、前記幹管および枝管は、常温で縮径するチューブと、前記チューブの内周側に配置され、前記チューブを拡径状態に保持する筒状の拡径部材とで形成されている多枝分岐管において、下記構成（Ａ）〜（Ｄ）を具備することを特徴とする常温収縮型複数相一括ケーブル用多枝分岐管。
（Ａ）幹管のチューブは入口側に肉厚の厚い厚肉部、奥側に肉厚の薄い薄肉部を有し、前記厚肉部と薄肉部は一体成形されている。
（Ｂ）幹管および枝管の拡径部材は、帯状の線材をスパイラル状に巻くことまたはスパイラル状に一体成形することにより形成され、線材を奥側から引き抜いて取り外すものである。
（Ｃ）複数相一括ケーブルの複数相一括部を幹管に挿入し、各心線を各枝管に挿入したときに、幹管の拡径部材の先端部は、複数相一括ケーブルの段剥き部より幹管の入口側方向に位置する。
（Ｄ）幹管および枝管の拡径部材を取り外して複数相一括ケーブルに装着したときに、幹管の厚肉部の内周面は複数相一括部の外周面に密接し、薄肉部の内周面は複数相一括部および心線に接触しない。
【発明の詳細な説明】
【技術分野】
【０００１】
本発明は、複数の心線を有する複数相一括ケーブルの各心線と他のケーブルとを接続する際に用いられる常温収縮型の多枝分岐管に関する。
【背景技術】
【０００２】
従来、複数の心線を有する複数相一括ケーブルの各心線と他のケーブルとを接続する際に用いられる部材として、特許文献１の常温収縮多分岐管が提案されている。特許文献１の常温収縮多分岐管は、幹管（本管）と複数個の岐管（分岐管）とを一体に成形してなるゴム弾性体を備えた多分岐管において、幹管および枝管は、常温で縮径するチューブと、このチューブの内周側に配置され、チューブを拡径状態に保持する筒状の拡径部材（スペーサ）とで形成されているものである（請求項１）。
【０００３】
【特許文献１】特開平１１−１８７５６２号公報
【発明の開示】
【発明が解決しようとする課題】
【０００４】
特許文献１の常温収縮多分岐管における拡径部材は、帯状の線材をスパイラル状に巻くことにより形成され、線材を奥側から引き抜いて取り外すものである。
【０００５】
しかし、特許文献１の常温収縮多分岐管は、幹管に装着されている拡径部材の線材を奥側から引き抜こうとすると、複数相一括ケーブルの段剥き部やアース線に線材が引っ掛かり、線材を引き抜いて拡径部材を取り外すことができなくなるため、実際には複数相一括ケーブルに装着することができず、複数相一括ケーブルの各心線と他のケーブルとの接続に使用することができないものであった。
【０００６】
本発明は、前述した事情に鑑みてなされたもので、幹管に装着されている拡径部材を取り外すことができるとともに、他にも優れた利点を有し、そのため複数相一括ケーブルの各心線と他のケーブルとの接続に好適に使用することができる常温収縮型複数相一括ケーブル用多枝分岐管を提供することを目的とする。
【課題を解決するための手段】
【０００７】
本発明は、前記目的を達成するため、幹管と、前記幹管の先端部に接続された複数の枝管とを有し、複数相一括ケーブルの複数相一括部が幹管に挿入され、各心線が各枝管に挿入される多枝分岐管であって、前記幹管および枝管は、常温で縮径するチューブと、前記チューブの内周側に配置され、前記チューブを拡径状態に保持する筒状の拡径部材とで形成されている多枝分岐管において、下記構成（Ａ）〜（Ｄ）を具備することを特徴とする常温収縮型複数相一括ケーブル用多枝分岐管を提供する。
（Ａ）幹管のチューブは入口側に肉厚の厚い厚肉部、奥側に肉厚の薄い薄肉部を有し、前記厚肉部と薄肉部は一体成形されている。
（Ｂ）幹管および枝管の拡径部材は、帯状の線材をスパイラル状に巻くことまたはスパイラル状に一体成形することにより形成され、線材を奥側から引き抜いて取り外すものである。
（Ｃ）複数相一括ケーブルの複数相一括部を幹管に挿入し、各心線を各枝管に挿入したときに、幹管の拡径部材の先端部は、複数相一括ケーブルの段剥き部より幹管の入口側方向に位置する。
（Ｄ）幹管および枝管の拡径部材を取り外して複数相一括ケーブルに装着したときに、幹管の厚肉部の内周面は複数相一括部の外周面に密接し、薄肉部の内周面は複数相一括部および心線に接触しない。
【発明の効果】
【０００８】
本発明の多枝分岐管は、下記（ア）〜（オ）の作用効果を奏し、そのため複数相一括ケーブルの各心線と他のケーブルとの接続に好適に使用することができる。
（ア）複数相一括ケーブルの複数相一括部を幹管に挿入し、各心線を各枝管に挿入したときに、幹管の拡径部材の先端部は、複数相一括ケーブルの段剥き部より幹管の入口側方向に位置するので、幹管の拡径部材の線材を奥側から引き抜くときに、複数相一括ケーブルの段剥き部やアース線に線材が引っ掛かることがなく、したがって線材を引き抜いて拡径部材を取り外すことができる。
（イ）複数相一括ケーブルの複数相一括部を幹管に挿入し、各心線を各枝管に挿入したときに、幹管の拡径部材の先端部は、複数相一括ケーブルの段剥き部より幹管の入口側方向に位置するとともに、幹管のチューブは奥側に肉厚の薄い薄肉部を有するため、薄肉部を手でつまんで薄肉部内の複数相一括ケーブルに間接的に触れることにより、薄肉部内における複数相一括部や心線の状態を確認することができる。
（ウ）幹管のチューブは入口側に肉厚の厚い厚肉部を有するため、幹管の拡径部材を取り外したときに、強度が高く収縮力が強い幹管の厚肉部の内周面が複数相一括部の外周面に強固に密接し、したがって複数相一括部の外周面と厚肉部の内周面との間の気密性、液密性が確実に保持される。
（エ）幹管および枝管の拡径部材を取り外して複数相一括ケーブルに装着したときに、幹管の薄肉部の内周面が複数相一括部および心線に接触しないので、上記薄肉部が複数相一括ケーブルの段剥き部やアース線に接触して損傷することがない。すなわち、幹管のチューブはシリコーンゴム等で形成されており、このチューブに複数相一括ケーブルの段剥き部やアース線のような出っ張った部分が接触してチューブが損傷すると、その部分から損傷が拡大するが、本発明ではそのようなことがない。
（オ）幹管の厚肉部を設けるために、肉厚が均一なチューブの内面に別の肉厚が均一なチューブを接着した場合には、上記別のチューブが抜けたり、接着剤に含まれる成分がチューブの材料中に移行してチューブの電気特性が変化したりすることがある。これに対し、本発明では、幹管のチューブは一体成形されているため、上記のような問題は生じない。
【発明を実施するための最良の形態】
【０００９】
以下、本発明の実施の形態を図面を参照して説明するが、本発明は下記例に限定されるものではない。図１は本発明に係る常温収縮型複数相一括ケーブル用多枝分岐管の一実施形態を示す模式的断面図である。
【００１０】
本例の常温収縮型複数相一括ケーブル用多枝分岐管（以下、単に「多枝分岐管」と言う）１０は、幹管１２と、幹管１２の先端部に接続された複数の枝管１４とを有する。幹管１２および枝管１４は、常温で縮径するチューブ１６、１８と、チューブ１６、１８の内周側に配置され、チューブ１６、１８を拡径状態に保持する筒状の拡径部材２０、２２とで形成されている。チューブ１６、１８は、エチレンプロピレンゴム、シリコーンゴム等の常温で弾性を有する絶縁性ゴム材により一体成形され、いったん拡径されても常温で縮径可能なものである。なお、本例では枝管１４を３本設け、３相一括ケーブル用多枝分岐管としているが、図１では枝管１４を１本のみ図示している。
【００１１】
本例の多枝分岐管１０は、下記構成（Ａ）〜（Ｄ）を具備する。
（Ａ）幹管１２のチューブ１６は、入口側に肉厚の厚い厚肉部２４、奥側に肉厚の薄い薄肉部２６を有する。枝管１４のチューブ１８も、入口側に肉厚の厚い厚肉部２８、奥側に肉厚の薄い薄肉部３０を有する。拡径部材２０、２２を装着する前の状態のチューブ１６、１８の一体成形物を図２に示す。
（Ｂ）幹管１２および枝管１４の拡径部材２０、２２は、図３に示すように、帯状のプラスチック製線材３２をスパイラル状に巻くことまたはスパイラル状に一体成形することにより形成され、線材３２を奥側から引き抜いて取り外すものである。
（Ｃ）図４に示すように、３相一括ケーブル３２の３相一括部３４を幹管１２に挿入し、各心線３６を各枝管１４に挿入したときに、幹管１２の拡径部材２０の先端部３８は、３相一括ケーブル３２の段剥き部４０より幹管１２の入口側方向に位置する。なお、段剥き部とは、ケーブルの編組、シースなどを剥いだ部分を言う。
（Ｄ）本例の多枝分岐管１０は、３相一括ケーブル３２の３相一括部３４を幹管１２に挿入し、各心線３６を各枝管１４に挿入した後（図４参照）、幹管１２および枝管１４の拡径部材２０、２２を取り外すことにより、３相一括ケーブル３２に装着するものである。このように多枝分岐管１０を３相一括ケーブル３２に装着したときに、図５に示すように、幹管１２の厚肉部２４の内周面は３相一括部３４の外周面に密接し、薄肉部２６の内周面は３相一括部３４および心線３６に接触しない。また、枝管１４の厚肉部２８の内周面は心線３６の外周面に密接し、薄肉部３０の内周面は心線３６に接触しない。
【００１２】
本例の多枝分岐管１０は、下記（ア）〜（オ）の作用効果を奏する。
（ア）幹管１２の拡径部材２０の線材３２を奥側から引き抜くときに、３相一括ケーブル３２の段剥き部４０やアース線に線材３２が引っ掛かることがなく、したがって線材３２を引き抜いて拡径部材２０を取り外すことができる。
（イ）拡径部材２０を取り外す前に、幹管１２のチューブ１６の薄肉部２６を手でつまんで薄肉部２６内の３相一括ケーブル３２に間接的に触れることにより、薄肉部２６内における３相一括部３４や心線３６の状態を確認することができる。
（ウ）多枝分岐管１０を３相一括ケーブル３２に装着したときに、強度が高く収縮力が強い幹管１２の厚肉部２４の内周面が３相一括部３４の外周面に強固に密接するため、３相一括部３４の外周面と厚肉部２４の内周面との間の気密性、液密性が確実に保持され、また、強度が高く収縮力が強い枝管１４の厚肉部２８の内周面が心線３６の外周面に強固に密接するため、心線３６の外周面と厚肉部２８の内周面との間の気密性、液密性が確実に保持される。
（エ）多枝分岐管１０を３相一括ケーブル３２に装着したときに、幹管１２のチューブ１６の薄肉部２６に段剥き部４０やアース線のような出っ張った部分が接触してチューブ１６が損傷することが防止される。
（オ）幹管１２の厚肉部２４や枝管１４の厚肉部２８を設けるために、肉厚が均一なチューブの内面に別の肉厚が均一なチューブを接着した場合には、上記別のチューブが抜けたり、接着剤に含まれる成分がチューブの材料中に移行してチューブの電気特性が変化したりすることがあるが、本例の多枝分岐管１０ではそのような問題は生じない。
【図面の簡単な説明】
【００１３】
【図１】本発明に係る常温収縮型複数相一括ケーブル用多枝分岐管の一実施形態を示す模式的断面図である。
【図２】図１の多枝分岐管のチューブを示すもので、（ａ）は正面図、（ｂ）は左側面図、（ｃ）は右側面図である。
【図３】図１の多枝分岐管の拡径部材を示すもので、（ａ）は正面図、（ｂ）は右側面図である。
【図４】図１の多枝分岐管内に３相一括ケーブルを挿入した状態を示す模式的断面図である。
【図５】図１の多枝分岐管を３相一括ケーブルに装着した状態を示す模式的断面図である。
【符号の説明】
【００１４】
１０  常温収縮型複数相一括ケーブル用多枝分岐管
１２  幹管
１４  枝管
１６、１８  チューブ
２０、２２  拡径部材
２４、２８  厚肉部
２６、３０  薄肉部
３２  ３相一括ケーブル
３４  ３相一括部
３６  心線
３８  拡径部材の先端部
４０  段剥き部
【図１】
2010074907.tif 000003
【図２】
2010074907.tif 000004
【図３】
2010074907.tif 000005
【図４】
2010074907.tif 000006
【図５】
2010074907.tif 000007